(57)【要約】【課題】  容易なリールテープの着脱を可能とする遊戯用リールフレームを提供する。【解決手段】  第１リール１８を構成する一対のサイドフレーム３４の内側の壁に、互いに向かい合うように溝３６が周方向に沿って設けられており、溝３６にリールテープ３２を差し込むことにより、リールテープ３２を周全体に渡りサイドフレーム３４に固定することが可能になる。また、リールテープ３２の短辺方向の端部は、テープ止め具３７により固定される。テープ止め具３７は、サイドフレーム３４に設けられた切り欠き部３８に着脱自在に装着できる。テープ止め具３７と切り欠き部３８との全長は等しく、テープ止め具３７を切り欠き部３８に装着した状態で、隙間が生じないように構成されている。【選択図】        図３
2007082838.tif 000002
【特許請求の範囲】
【請求項１】
外面に複数の図柄が配置されたリールテープと、
前記リールテープが巻き付けられる円環状のリールフレームと、
前記リールテープを前記リールフレームに固定するためのテープ止め具とを備え、
前記リールテープは、２つの短辺と２つの長辺とからなる細長な帯状に形成されると供に、前記２つの短辺それぞれの近傍位置にテープ孔が設けられ、
前記リールフレームには、外周面にそれぞれ前記リールフレームの円周長と同等な環状のサイドフレームが立設されており、前記サイドフレームは外周面上の一部に切り欠き部を設けていると供に、前記リールテープの２つの長辺部を周全体にわたり保持するための溝が、周上に沿って互いに向き合うように設けられ、前記切り欠き部には、前記リールテープが前記溝に差し込まれた状態で、前記テープ孔に重なるようにフレーム孔が設けられ、
前記テープ止め具は、前記テープ孔と前記フレーム孔とに嵌り込むフック部と、前記フック部が形成されたベース板からなり、前記フック部を前記テープ孔と前記フレーム孔に嵌め込むと、前記サイドフレームの外面と前記ベース板の外面とが略面一になることを特徴とした遊技機用リール。
【請求項２】
前記サイドフレームの切り欠き部の全長と、前記ベース板の全長が等しいことを特徴とした請求項１記載の遊技機用リール
【請求項３】
前記ベース板と前記リールテープとの間及び前記リールテープと前記サイドフレームとの間の少なくともいずれか一方に弾性部材を介在させたことを特徴とする請求項１又は２記載の遊技機用リール。
【発明の詳細な説明】
【技術分野】
【０００１】
本発明は、複数の図柄が配列されたリールテープと前記リールテープが巻きつけられる円環状のリールフレームからなる遊技機用リールに関するものである。
【背景技術】
【０００２】
一般に、スロットマシンは遊技機用リールが３個程度並列して組み込まれ、それぞれ個別のモーターによって回転及び停止制御が行われ、停止したときの図柄の組み合わせにより入賞の有無が競われる遊技機として知られている。遊技者はゲームの開始時に１〜３枚のメダルを投入して入賞ラインの本数を選択し、そして有効化された入賞ライン上で入賞が得られたときには、その入賞の種類に応じたメダルが払い出されるようになっている。
【０００３】
また、前記遊技機用リールは帯状のプラスチックシートに複数の図柄が一定のピッチで配列されたリールテープと、前記リールテープが巻きつけられる円環状のリールフレームとで構成されている。前記リールテープは、前記リールフレームの外周面に沿って接着剤や両面テープなどで保持される。
【０００４】
ところで、スロットマシンの遊技用リールは前述したように、遊技中にはリールモータによって回転及び停止制御されている。そのため回転の際に生じる遠心力などの外力によってリールテープが剥離しないように、強固に固定しておかなければならない。しかし、スロットマシンの仕様を変更するために、リールテープの交換が必要になる場合がある。このため、特許文献１では貼り直しを可能にする再剥離シールを設けることにより、リールテープをリールフレームに固定すると供に、交換作業の簡略化を可能にしている。
【特許文献１】特開平１１−１２８４６５号公報
【発明の開示】
【発明が解決しようとする課題】
【０００５】
ところで、リールテープがリールフレームにシールなどの接着剤を使用して強固に固定することは、リールテープを取り外す際にリールフレームや、リールテープが破損してしまったり、リールテープの取り外し後にリールフレームに接着跡や、接着剤の取り残しがあったりする。また、リールテープをリールフレームへ接着する時に、リールフレームから外れて貼り付けてしまう等のリールテープ交換の失敗が発生する等して、リールテープの交換作業に多くの手間が必要であった。このため、特許文献１で示されるように、貼り直しを可能にする再剥離シールを設けただけでは、リールテープ交換の失敗を防ぐことはできないため、リールテープの交換作業を簡略化するには不十分であった。
【０００６】
本発明は、上記事情を考慮してなされたもので、容易なリールテープの着脱を可能とする遊技用リールを提供しようとするものである。
【課題を解決するための手段】
【０００７】
外面に複数の図柄が配置されたリールテープと、前記リールテープが巻き付けられる円環状のリールフレームと、前記リールテープを前記リールフレームに固定するためのテープ止め具とを備え、前記リールテープは、２つの短辺と２つの長辺とからなる細長な帯状に形成されると供に、前記２つの短辺それぞれの近傍位置にテープ孔が設けられ、前記リールフレームには、外周面にそれぞれ前記リールフレームの円周長と同等な環状のサイドフレームが立設されており、前記サイドフレームは外周面上の一部に切り欠き部を設けていると供に、前記リールテープの２つの長辺部を周全体にわたり保持するための溝が、周上に沿って互いに向き合うように設けられ、前記切り欠き部には、前記リールテープが前記溝に差し込まれた状態で、前記テープ孔に重なるようにフレーム孔が設けられ、前記テープ止め具は、前記テープ孔と前記フレーム孔とに嵌り込むフック部と、前記フック部が形成されたベース板からなり、前記フック部を前記テープ孔と前記フレーム孔に嵌め込むと、前記サイドフレームの外面と前記ベース板の外面とが略面一になることを特徴とするものである。
【０００８】
また、前記サイドフレームの切り欠き部の全長と、前記ベース板の全長が等しいことを特徴とするものである。
【０００９】
また、前記ベース板と前記リールテープとの間及び前記リールテープと前記サイドフレームとの間の少なくともいずれか一方に弾性部材を介在させたことを特徴とするものである。
【発明の効果】
【００１０】
本発明の遊技用リールによれば、サイドフレームの周方向に沿って設けられた溝に、リールテープを差し込むことにより、リールテープを周全体に渡りサイドフレームに固定することが可能となる。また、テープ止め具に形成されたフックを、リールテープに設けられたテープ孔とサイドフレームに設けられたフレーム孔とに嵌め込むことにより、リールテープの短辺方向の端部同士を連結させることが可能になるので、接着剤などの使用することなく容易にリールテープをサイドフレームに固定することができ、リールテープ交換時の手順を簡略化することができる。また、フックをテープ孔とフレーム孔に貫通させた際、サイドフレームに設けられた切り欠き部分にベース板が装着され、サイドフレームの外面とベース板の外面が略面一となるため、テープ止め具がサイドフレームと一部として機能するので、テープ止め具を設置するために、取り付け箇所を設ける場合に対して、部品点数の増加を最小限に抑えることができると供に、設置スペースを新たに確保する必要がない。
【００１１】
また、ベース板の全長とサイドフレームの切り欠き部の全長が等しいので、テープ止め具をサイドフレームに装着した際に、ベース板とサイドフレームに隙間が生じないためテープ止め具はサイドフレームに安定した固定が可能となる。
【００１２】
また、ベース板とリールテープとの間又は、リールテープとサイドフレームの間の少なくとも一方に弾性部材が設けられているので、ベース板とリールテープ又はリールテープとサイドフレーム同士を密着させることができ、弾性部材がリールテープをサイドフレームに押し付けるため、強固に固定することができる。また、弾性部材とリールテープ間に摩擦力が発生するため、固定後にリールテープがズレたり、撓んだりすることを防止できる。
【発明を実施するための最良の形態】
【００１３】
本発明を用いた遊技機の一実施例であるスロットマシン（遊技機）１０は、図１及び図２に示すように、筺体１１にリールユニットや電気部品等を組み込んだ構成となっている。筺体１１は、収納箱１２と前面扉１３からなる。前面扉１３は、上扉１４と下扉１５からなり、それぞれヒンジ１６により開閉自由に取り付けられている。
【００１４】
上扉１４の前面には、表示窓１７が設けられており、表示窓１７の奥には第１〜第３リール１８〜２０が組み込まれている。周知のように、第１〜第３リール１８〜２０の外周には、複数の当選絵柄を含む図柄が一定ピッチで配列され、１リールにつき３個の図柄は、表示窓１７を通して観察することができる。
【００１５】
下扉１５の前面には、メダルを投入するためのメダル投入口２１、スタートレバー２２、リールの回転を停止させるための第１〜第３ストップボタン２３〜２５、メダル受け皿２６、獲得したメダルを前記メダル受け皿に払い出す払い口２７などが設けられている。
【００１６】
図２に示すように、収納箱１２は、上下２段に仕切られた上・下収納部２８，２９を持っている。上収納部２８にはリールユニット３０が組み込まれている。リールユニット３０は、第１〜第３リール１８〜２０と、第１〜第３リール１８〜２０を回転させるためのリールモータ３１からなる。遊技の際には、スタートレバー２２の操作と同時に前記リールモータが作動し第１〜第３リール１８〜２０を回転させる。その後、遊技者がストップボタン２３〜２５を押圧すると同時にストップボタン２３〜２５対応した、第１〜第３リール１８〜２０の回転が停止させられる。なお、第１〜第３リール１８〜２０の構造は同一である。
【００１７】
上述したように、第１〜第３リール１８〜２０の構造は同一であるため、本実施例では第１リール１８についてのみ説明を行なう。
【００１８】
第１リール１８を図３に示す。第１リール１８は部分的に破断して示すリールテープ３２と、リールフレーム３３から構成されている。リールフレーム３３は、一対のサイドフレーム３４と、一対のサイドフレーム３４を一定の間隔を空けて連結する複数本の連結バー３５から構成されている。リールテープ３２は、２つの短辺と２つの長辺からなる細長な帯状のプラスチックシートで出来ており表面には果物、数字、英文等の様々な図柄が一定ピッチで配置されている。
【００１９】
サイドフレーム３４の内壁の周方向にそれぞれ一本の溝３６が互いに向き合うように設けられており、溝３６にリールテープ３２が差し込める形となっている。これにより、リールテープ３２を溝３６に差し込むことによって、周全体にわたりリールテープ３２はサイドフレーム３４に固定されている。また、リールテープ３２の短辺方向の端部は、サイドフレーム３４に着脱自在に装着がすることができるテープ止め具３７によって連結固定される。テープ止め具３７は、サイドフレーム３４の外周面に設けられた切り欠き部３８に装着される。
【００２０】
次に、テープ止め具によりサイドフレームにリールテープを固定する場合の一例を示す要部分解斜視図を図４に、テープ止め具によりサイドフレームにリールテープを固定する場合の一例を示す要部分解斜視図を図５に示す。テープ止め具３７はフック３９とフック３９が形成されたベース板４０と弾性部材４１から構成されている。また、フック３９の先端には二股の爪４２（以後、爪とする。）が設けられている。リールテープ３２の短辺の両縁にはテープ孔４３が設けられており、サイドフレーム３４の切り欠き部３８には、リールテープ３２が溝３６に差し込まれた状態で、テープ孔４３に重なるようにフレーム孔４４が設けられており、フック３９と爪４２を嵌め込むことが可能となっている。
【００２１】
図５に示すように、フック３９と爪４２をテープ孔４３とフレーム孔４４とに嵌め込むことにより、爪４２がサイドフレーム３４の内周側に突き出し、サイドフレーム３４の内周面に係止する。これによりリールテープ３２はサイドフレーム３４に固定されている。また、リールテープ３２とベース板４０の間に弾性部材４１が介在され、リールテープ３２をテープ止め具３７によってサイドフレーム３４に固定した際、爪４２がサイドフレーム３４の内周の面に係止することにより、リールテープ３２は弾性部材４１によってサイドフレーム３４に押し付けられ、強固に固定されている。さらに、リールテープ３２と弾性部材４１により生じる摩擦力によって、固定後にリールテープ３２がズレたり、撓んでしまうことが防止されている。また、テープ止め具３７の取り外しを行なう際には、爪４２の両爪を中心に向かって抓むことにより取り外すことが可能となっている。
【００２２】
図６に示すようにテープ止め具３７により、リールテープ３２の短辺方向の端部同士が結合され、サイドフレーム３４に固定される。また、サイドフレーム３４に設けられた切り欠き部３８とテープ止め具３７に設けられているベース板４０の全長は等しく、テープ止め具３７をサイドフレーム３４に装着した状態では、ベース板４０とサイドフレーム３４に隙間が生じないように構成されており、ベース板４０の外周面とサイドフレーム３４の外周面が略面一となる。
【００２３】
以上のように、遊技中リールの回転によって生じる遠心力などの外力によってサイドフレーム３４からリールテープ３２が剥離するのを防ぐために、リールテープ３２全体を接着剤等でサイドフレーム３４に強固に固定する必要があり、そのせいでリールテープ３２の交換作業の際にリールフレーム３３が破損してしまったり、取り外し後に接着剤の跡や取り残しが発生してしまったりしてしまう。また、リールテープ３２をサイドフレーム３４に接着する時に、リールフレーム３３から外れて貼り付けてしまう等のリールテープ３２交換の失敗が発生する等交換作業に手間がかかる。しかし、サイドフレーム３４の内壁に周方向に溝３６を設け、リールテープ３２を差し込むことにより、周全体の固定が可能になる。さらに、テープ止め具３７に設けられているフック３９と爪４２がテープ孔４３とフレーム孔４４とに嵌め込まれることにより、リールテープ３２の短辺方向の端部同士を連結させることができ、リールテープ３２をサイドフレーム３４に固定することが可能になる。これによって、接着剤等を使用しなくても強固な固定をすることが可能になる。また、サイドフレーム３４に設けられている切り欠き部３８と、テープ止め具３７に設けられているベース板４０との全長は等しく、テープ止め具３７を切り欠き部３８に装着した状態で、テープ止め具３７とサイドフレーム３４に隙間が生じないので、テープ止め具３７はサイドフレーム３４に安定した固定が可能となる。
【００２４】
また、リールテープ３２とベース板４０の間に介在するように弾性部材４１を設けることにより、弾性部材４１がリールテープ３２をリールフレーム３３に押し付けることができるので、より強固な固定が可能となる。また、リールテープ３２と弾性部材４１間に働く摩擦力により、リールテープ３２をリールフレーム３３に固定した後に、リールテープ３２がズレたり、撓んだりすることを防止することが可能になる。
【００２５】
なお、上述実施例では弾性部材４１をリールテープ３２とベース板４０の間に介在したが、リールテープ３２とサイドフレーム３４の間に介在してもよい。また、リールテープ３２の固定に際し、テープ止め具３７をリールテープ３２の短辺同士を連結するように設置したが、各端部に個々にテープ止め具３７を設けて固定する。又は、内周面からフック３９と爪４２とを、テープ孔４３とフレーム孔４４に貫通させて固定する、リールテープ３２の短辺同士のテープ孔４３を重ねてまとめて固定するなどの方法をとってもよい。
【００２６】
本発明は、メダルを遊技媒体してい使用するスロットマシン１０に限られることなく、例えばゲーム機や、パチンコ玉を使用するスロットマシンなどへも適用可能である。
【図面の簡単な説明】
【００２７】
【図１】スロットマシンの外観を示す斜視図である。
【図２】前扉を開けた状態のスロットマシンを示す斜視図である。
【図３】本発明を採用したリールの外観を示す斜視図である。
【図４】テープ止め具によりサイドフレームにリールテープを固定する場合の一例を示す要部分解斜視図である。
【図５】テープ止め具によりサイドフレームにリールテープを固定した状態を示す断面図である。
【図６】テープ止め具によりリールフレームにリールテープを固定したリールを示す斜視図である。
【符号の説明】
【００２８】
１０  スロットマシン（遊技機）
１８〜２０  第１〜第３リール
２８  上収納部
３０  リールユニット
３２  リールテープ
３３  リールフレーム
３４  サイドフレーム
３６  溝
３７  テープ止め具
３８  切り欠き部
３９  フック（フック部）
４０  ベース板
４１  弾性部材
４２  爪
４３  テープ孔
４４  フレーム孔
【図１】
2007082838.tif 000003
【図２】
2007082838.tif 000004
【図３】
2007082838.tif 000005
【図４】
2007082838.tif 000006
【図５】
2007082838.tif 000007
【図６】
2007082838.tif 000008